(57)【要約】【課題】使用者がＲＡＷ形式で記録したい場合に、簡単な操作で即座にＲＡＷ形式で撮影画像を記録でき、かつ記録媒体を効率的に使用することのできる撮像装置、撮像装置制御方法、その記録媒体およびそのプログラムを提供する。【解決手段】メモリ３０は、撮像素子１４からの撮像信号をＡ／Ｄ変換器１６でディジタル化したＲＡＷ画像データ（ＲＡＷ形式）を保持する。記録媒体２００または２１０にＲＡＷ画像データを記録するよう指示する記録指示を基に、システム制御回路５０は、ＲＡＷ画像データを記録媒体２００または２１０に記録し、ＲＡＷ画像データに対応するＪＰＥＧ画像データを記録媒体２００または２１０から消去するよう撮像装置１００を制御する。【選択図】　図１
2004104601.tif 000002
【特許請求の範囲】
【請求項１】
撮像素子からの撮像信号をディジタル化した撮像データを保持する保持手段と、
前記保持手段が保持している前記撮像データを処理して非可逆圧縮形式の画像データを生成する生成手段と、
前記画像データ生成手段によって非可逆圧縮されていない撮像データを記録媒体に記録するよう指示された場合、前記撮像データを前記記録媒体に記録するとともに、前記生成手段によって生成された前記撮像データに対応する画像データを消去する制御手段と
を具備することを特徴とする撮像装置。
【請求項２】
前記制御手段は、消去する前記画像データに付加データが付加されている場合に、前記生成手段によって生成された画像データに対応する撮像データに付加データを付加して前記記録媒体に記録するよう制御することを特徴とする請求項１に記載の撮像装置。
【請求項３】
前記制御手段は、前記撮像データに対応する画像データを消去した後に、前記撮像データを前記記録媒体に記録するよう制御することを特徴とする請求項１に記載の撮像装置。
【請求項４】
前記制御手段は、前記撮像データを前記記録媒体に記録した後に、前記撮像データに対応する画像データを消去するよう制御することを特徴とする請求項１に記載の撮像装置。
【請求項５】
前記制御手段は、前記生成手段による画像データの生成に応じて前記記録媒体に前記画像データを記録するように制御され、前記記録媒体の残容量が所定量より多い場合は、前記撮像データを前記記録媒体へ記録した後に前記撮像データに対応する前記画像データを前記記録媒体から消去し、前記記録媒体の残容量が前記所定量より少ない場合は、前記撮像データに対応する前記画像データを前記記録媒体から消去した後に前記撮像データを前記記録媒体へ記録するよう制御することを特徴とする請求項１に記載の撮像装置。
【請求項６】
前記制御手段は、前記撮像データに対応する前記画像データを前記記録媒体から消去する際に、外部から入力される消去するか否かを指示する消去指示に応じて消去の処理を制御することを特徴とする請求項１に記載の撮像装置。
【請求項７】
前記制御手段は、前記記録媒体の残容量が所定量より少ない場合に、使用者に撮像データの記録が実行できないことを警告し、撮像データを前記記録媒体に記録しないよう制御することを特徴とする請求項１に記載の撮像装置。
【請求項８】
前記撮像データは、前記撮像素子から読み出したままのデータまたは可逆圧縮されたデータであることを特徴とする請求項１に記載の撮像装置。
【請求項９】
前記記録媒体は、前記撮像装置に着脱可能であることを特徴とする請求項１に記載の撮像装置。
【請求項１０】
撮像素子を具備する撮像装置を制御する撮像装置制御方法であって、
前記撮像素子からの撮像信号をディジタル化した撮像データを保持する第一のステップと、
前記第一のステップで保持している前記撮像データを処理して非可逆圧縮形式の画像データを生成する第二のステップと、
前記非可逆圧縮されていない撮像データを記録媒体に記録するよう指示された場合、前記撮像データを前記記録媒体に記録するとともに、前記撮像データに対応する画像データを消去するよう制御する第三のステップと
を有することを特徴とする撮像装置制御方法。
【請求項１１】
撮像素子を具備する撮像装置を制御するプログラムを記録した記録媒体であって、
前記撮像素子からの撮像信号をディジタル化した撮像データを保持する第一のステップと、
前記第一のステップで保持している前記撮像データを処理して非可逆圧縮形式の画像データを生成する第二のステップと、
前記撮像データを記録媒体に記録するよう指示された場合、前記撮像データを前記記録媒体に記録するとともに前記撮像データに対応する画像データを消去するよう制御する第三のステップと
を前記撮像装置内のコンピュータに実行させるためのプログラムを記録したコンピュータ読み取り可能な記録媒体。
【請求項１２】
撮像素子を具備する撮像装置を制御するプログラムであって、
前記撮像素子からの撮像信号をディジタル化した撮像データを保持する第一のステップと、
前記第一のステップで保持している前記撮像データを処理して非可逆圧縮形式の画像データを生成する第二のステップと、
前記撮像データを記録媒体に記録するよう指示された場合、前記撮像データを記録媒体に記録するとともに、前記撮像データに対応する画像データを前記記録媒体から消去するよう制御する第三のステップと
を前記撮像装置内のコンピュータに実行させるためのプログラム。
【発明の詳細な説明】
【０００１】
【発明の属する技術分野】
本発明は、撮像により画像データを生成する撮像装置、撮像装置制御方法、その記録媒体およびそのプログラムに関するものである。
【０００２】
【従来の技術】
従来、電子スチルカメラ等の撮像装置において、撮像素子により光電変換された撮像信号は、多くの場合Ａ／Ｄ変換回路によりディジタルデータである撮像データ（以下、ＲＡＷ画像データとする）に変換される。次に、そのＲＡＷ画像データに対して必要な画像処理を行い、例えばＲＧＢ値から成る画像データを生成する。次に、その画像データに対してＪＰＥＧ（Ｊｏｉｎｔ　Ｐｈｏｔｏｇｒａｐｈｉｃ　Ｅｘｐｅｒｔｓ　Ｇｒｏｕｐ）符号化に代表される非可逆データ圧縮を施して圧縮画像データを生成して記録媒体に格納する（この記録形式を以下、非可逆データ圧縮形式とする）ことで、限りある記録媒体の記録容量を効率的に利用している。
【０００３】
しかし、画像データに対して非可逆データ圧縮を施すと、再生時に十分な画質が得られない場合があるという問題があった。また、圧縮前の画像データを記録媒体に記録したとしても、上述したＲＡＷ画像データを信号処理して画像データを生成する過程でホワイトバランス等の処理が行われていることから、使用者が記録媒体より読み出した圧縮前の画像データに対して画像処理を行うことが困難になる場合があるという問題があった。上述した問題を解決する撮像画像の記録形式として、撮像素子から読み出された画素ごとのディジタルデータであるＲＡＷ画像データをそのまま記録媒体に格納するＲＡＷ形式がある。このＲＡＷ形式は、使用者にとって撮影後に画像処理の自由度を持たせることができ、有益な記録形式であると言える。
【０００４】
【発明が解決しようとする課題】
しかしながら、ＲＡＷ画像データは、データ圧縮されていないか、圧縮されているとしても圧縮率の低い可逆データ圧縮形式である。このため、近年の撮像素子の高画素化やＡ／Ｄ変換器の精度向上（ビット数の増加）に伴い、ＲＡＷ画像データのデータ量が増大し、容量的に限られた記録媒体に記録するには不便であるという問題がある。このデータ量の増大に対処する一方法として、使用者が大容量もしくは複数の記録媒体を携帯する方法があるが、当然コスト面においても使用者の負担を招き、かつ、記録時間も延びるため軽快な撮影動作を阻害するという問題がある。
本発明は上記問題点を鑑みてなされたものであり、使用者がＲＡＷ形式で記録したい場合に、簡単な操作で即座にＲＡＷ形式で撮影画像を記録でき、かつ記録媒体を効率的に使用することのできる撮像装置、撮像装置制御方法、その記録媒体およびそのプログラムを提供することを目的とする。
【０００５】
【課題を解決するための手段】
この発明は、上述した課題を解決すべくなされたもので、本発明による撮像装置においては、撮像素子からの撮像信号をディジタル化した撮像データを保持する保持手段と、保持手段が保持している撮像データを処理して非可逆圧縮形式の画像データを生成する生成手段と、画像データ生成手段によって非可逆圧縮されていない撮像データを記録媒体に記録するよう指示された場合、撮像データを記録媒体に記録するとともに、生成手段によって生成された撮像データに対応する画像データを消去する制御手段とを具備することを特徴とする。
【０００６】
また、本発明による撮像装置制御方法においては、撮像素子を具備する撮像装置を制御する撮像装置制御方法であって、撮像素子からの撮像信号をディジタル化した撮像データを保持する第一のステップと、第一のステップで保持している撮像データを処理して非可逆圧縮形式の画像データを生成する第二のステップと、非可逆圧縮されていない撮像データを記録媒体に記録するよう指示された場合、撮像データを記録媒体に記録するとともに、撮像データに対応する画像データを消去するよう制御する第三のステップとを有することを特徴とする。
【０００７】
また、本発明による記録媒体は、撮像素子を具備する撮像装置を制御するプログラムを記録した記録媒体であって、撮像素子からの撮像信号をディジタル化した撮像データを保持する第一のステップと、第一のステップで保持している撮像データを処理して非可逆圧縮形式の画像データを生成する第二のステップと、撮像データを記録媒体に記録するよう指示された場合、撮像データを記録媒体に記録するとともに撮像データに対応する画像データを消去するよう制御する第三のステップとを撮像装置内のコンピュータに実行させるためのプログラムを記録したコンピュータ読み取り可能な記録媒体である。
【０００８】
また、本発明によるプログラムは、撮像素子を具備する撮像装置を制御するプログラムであって、撮像素子からの撮像信号をディジタル化した撮像データを保持する第一のステップと、第一のステップで保持している撮像データを処理して非可逆圧縮形式の画像データを生成する第二のステップと、撮像データを記録媒体に記録するよう指示された場合、撮像データを記録媒体に記録するとともに、撮像データに対応する画像データを記録媒体から消去するよう制御する第三のステップとを撮像装置内のコンピュータに実行させるためのプログラムである。
【０００９】
これにより、本発明の撮像装置、撮像装置制御方法、その記録媒体およびそのプログラムによれば、撮像データを基に非可逆圧縮形式の画像データを生成して記録した記録媒体に撮像データを記録したい場合に記録指示を与えることで、撮像データを記録媒体に記録し、撮像データに対応する画像データを記録媒体から消去するよう撮像装置を制御することができる。すなわち、使用者がＲＡＷ形式（撮像データを記録する記録形式）で記録したい場合に、記録指示を与えるという簡単な操作で即座にＲＡＷ形式で撮影画像を記録でき、かつ画像データを消去することで記録媒体を効率的に使用することができる。
【００１０】
【発明の実施の形態】
以下、図面を用いて本発明の実施形態について説明する。
図１は、本発明の一実施形態における撮像装置の構成を示すブロック図である。図１において、１００は、撮像装置であり、具体的にはディジタルスチルカメラ等であって、撮影画像を記録媒体に記録する機能を有する。
【００１１】
１０は撮影レンズであり、１２は絞り機能を備えるシャッタである。１４は光学像を電気信号に変換する例えばＣＣＤ（Ｃｈａｒｇｅ　Ｃｏｕｐｌｅｄ　Ｄｅｖｉｃｅ）やＣＭＯＳセンサなどの撮像素子である。１６は撮像素子１４のアナログ信号出力（撮像信号）をディジタル信号（撮像データ）に変換するＡ／Ｄ変換器である。１８は、撮像素子１４、Ａ／Ｄ変換器１６、Ｄ／Ａ変換器２６にクロック信号や制御信号を供給するタイミング発生回路である。また、タイミング発生回路１８は、後述するメモリ制御回路２２及びシステム制御回路５０により制御される。
【００１２】
２０は画像処理回路であり、Ａ／Ｄ変換器１６からの撮像データ（以下、ＲＡＷ画像データとする）や、メモリ制御回路２２からの画像データに対して所定の画素補間処理や色変換処理を行う。また、画像処理回路２０においては、撮像した画像データを用いて所定の演算処理を行い、得られた演算結果に基づいてシステム制御回路５０が露光制御回路４０、測距制御手段４２に対して制御を行う、ＴＴＬ（スルー・ザ・レンズ）方式のＡＦ（オートフォーカス）処理、ＡＥ（自動露出）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００１３】
２２はメモリ制御回路であり、Ａ／Ｄ変換器１６、タイミング発生回路１８、画像処理回路２０および後述する画像表示メモリ２４、Ｄ／Ａ変換器２６、メモリ３０、圧縮・伸長回路３２を制御する。このメモリ制御回路２２の制御により、Ａ／Ｄ変換器１６が出力するＲＡＷ画像データが画像処理回路２０、メモリ制御回路２２を介して、或いはＡ／Ｄ変換器１６が出力するＲＡＷ画像データが直接メモリ制御回路２２を介して、後述する画像表示メモリ２４或いはメモリ３０に書き込まれる。
【００１４】
２４は画像表示メモリであり、後述する画像表示部２８へ表示するための画像データを上述したメモリ制御回路２２より受信する。２６はＤ／Ａ変換器であり、画像データをアナログの画像信号へ変換する。２８はＴＦＴ（薄膜トランジスタ）・ＬＣＤ等である画像表示部である。以上の構成により、画像表示メモリ２４に書き込まれた表示用の画像データはＤ／Ａ変換器２６を介して画像表示部２８により表示される。また、画像表示部２８を用いて撮像した画像データを逐次表示すれば、電子ファインダ機能を実現することが可能である。また、画像表示部２８は、システム制御回路５０の指示により任意に表示をオン／オフすることが可能であり、表示をオフすることで撮像装置１００の電力消費を大幅に低減することが出来る。
【００１５】
３０は撮影した静止画像や動画像を格納するためのメモリ（保持手段）であり、所定枚数の静止画像や所定時間の動画像を格納するのに十分な記憶容量を備えている。これにより、メモリ制御回路２２は、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００１６】
３２は適応離散コサイン変換（ＡＤＣＴ）等により画像データをＪＰＥＧ方式で圧縮伸長する圧縮・伸長回路である。メモリ制御回路２２の制御により、圧縮・伸長回路３２は、メモリ３０に格納された画像データを読み込んで例えばＪＰＥＧ圧縮処理あるいはＪＰＥＧ伸長処理を行い、処理を終えた画像データをメモリ３０に書き込む。尚、圧縮・伸長回路３２が処理可能な圧縮・伸長方式は、ＪＰＥＧ方式に限らず、種々の画像圧縮・伸長方式を処理可能として好適である。また、圧縮・伸長回路３２が複数の圧縮・伸長方式で処理可能な場合は、使用者により所望の圧縮・伸長方式を選択させてよい。
【００１７】
４０は絞り機能を備えるシャッタ１２を制御する露光制御回路である。４２は撮影レンズ１０の焦点調整を制御する測距制御手段である。４４は撮影レンズ１０のズーミングを制御するズーム制御手段である。また、上述した露光制御回路４０、測距制御手段４２はＴＴＬ方式を用いて制御されており、撮像した画像データを画像処理回路２０によって演算した演算結果に基づき、後述するシステム制御回路５０が露光制御回路４０、測距制御手段４２に対して制御を行う。
【００１８】
５０は撮像装置１００全体を制御するシステム制御回路である。５２はシステム制御回路５０の動作用の定数、変数、プログラム等を記憶するメモリである。また、ＲＡＷ画像データをメモリ３０に記録するか否かを指示する記録指示を撮像装置１００が予め保持する場合は、このメモリ５２が記録指示に関する情報を保持する。すなわち、システム制御回路５０は、メモリ５２より読み出したプログラムを実行することで、撮像装置１００の制御を行う。例えば、システム制御回路５０は、メモリ５２より上述した記録指示に関する情報を参照して、メモリ制御回路２２を制御することで、メモリ３０にＲＡＷ画像データを記録する処理を制御する。また、システム制御回路５０は、後述する記録媒体２００、２１０において記録可能な最大の情報量を示す記録容量や、メモリの空き容量を示す残容量などの情報を取得する機能を有する。
【００１９】
５４はシステム制御回路５０でのプログラムの実行に応じて、文字、画像、音声等を用いて動作状態（撮影枚数、電池残量など）やメッセージ等を表示する液晶表示装置またはスピーカ等から構成される通知部である。この通知部５４は、撮像装置１００の操作部近辺の視認し易い位置に単数或いは複数個所設置され、例えばＬＣＤやＬＥＤ、発音素子等の組み合わせにより構成されている。また、通知部５４は、その一部の機能が光学ファインダ１０４内に設置されている。
【００２０】
通知部５４の表示内容のうち、ＬＣＤ等に表示するものとしては、動作モード表示、シングルショット／連写撮影表示、セルフタイマー表示、圧縮率表示、記録画素数表示、記録枚数表示、残撮影可能枚数表示、シャッタスピード表示、絞り値表示、露出補正表示、ストロボ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示、ＲＡＷ形式記録表示等がある。
【００２１】
また、通知部５４の表示内容のうち、光学ファインダ１０４内に表示するものとしては、動作モード表示、合焦表示、手振れ警告表示、ストロボ充電表示、シャッタスピード表示、絞り値表示、露出補正表示、ＲＡＷ形式記録表示等がある。５６は電気的に消去・記録可能な不揮発性メモリであり、例えばＥＥＰＲＯＭ等が用いられる。また、不揮発性メモリ５６には、例えば撮像装置１００の起動に必要なプログラム等が格納されている。
【００２２】
また、モードダイアルスイッチ６０、シャッタスイッチＳＷ１・６２、シャッタスイッチＳＷ２・６４および操作部７０は、システム制御回路５０の各種の動作指示を入力するための操作手段であり、スイッチやダイアル、タッチパネル、視線検知によるポインティング、音声認識装置等の単数或いは複数の組み合わせで構成される。
ここで、これらの操作手段の具体的な説明を行う。
【００２３】
モードダイアルスイッチ６０は、電源オフ、撮影モード、パノラマ撮影モード、再生モード、マルチ画面再生・消去モード等の各機能モードを切り替え設定することが出来る。シャッタスイッチＳＷ１・６２は、不図示のシャッタボタンの操作途中でオンとなる。シャッタスイッチＳＷ２・６４は、不図示のシャッタボタンの操作完了でオンとなる。上述したシャッタスイッチＳＷ２・６４がオンすることにより、システム制御回路５０は、撮像素子１２から読み出した撮像信号をＡ／Ｄ変換器１６、メモリ制御回路２２を介してメモリ３０に撮像データ（ＲＡＷ画像データ）として書き込む露光処理や、画像処理回路２０やメモリ制御回路２２での演算により撮像データ（ＲＡＷ画像データ）より画像データを生成する現像処理や、メモリ３０から画像データを読み出し、圧縮・伸長回路３２で圧縮して圧縮画像データを生成し、記録媒体２００或いは２１０にその圧縮画像データを書き込む記録処理という一連の処理の動作開始を指示する。
【００２４】
操作部７０は各種ボタンやタッチパネル等から構成され、具体的には、メニューボタン、セットボタン、マクロボタン、プラスボタン、マイナスボタン、再生ボタン、撮影画質選択ボタン、露出補正ボタン、画像表示ＯＮ／ＯＦＦボタン、ＲＡＷ形式記録指示ボタン等がある。尚、上述したモードダイアルスイッチ６０、操作部７０の種類は一例であり、撮像装置１００の有する機能に応じて任意に設けて好適である。また、操作部７０のＲＡＷ形式記録指示ボタンを押下することで、撮像装置１００のシステム制御回路５０へ記録指示が伝達される
【００２５】
９０及び９４はメモリカードやハードディスク等の記録媒体とのインターフェース回路である。９２及び９６は後述する記録媒体２００や２１０と接続を行うためのコネクタである。９８はコネクタ９２や９６に記録媒体２００や２１０が装着されているか否かを検知する記録媒体着脱検知回路である。尚、本実施例では記録媒体２００、２１０を取り付けるインターフェース及びコネクタを２系統持つものとして説明している。もちろん、記録媒体を取り付けるインターフェース及びコネクタは、単数或いは複数のいずれの系統数を備える構成としても構わない。また、異なる規格のインターフェース及びコネクタを組み合わせて備える構成としても構わない。
【００２６】
さらに、インターフェース９０及び９４、コネクタ９２及び９６を所定の規格に準拠したものを用いて構成した場合、各種通信カードを接続することにより、他のコンピュータやプリンタ等の周辺機器との間で画像データや画像データに付属した管理情報を転送し合う機能を撮像装置１００が有することが出来る。また、光学ファインダ１０４は、画像表示部２８による電子ファインダ機能を使用すること無しに、撮影を行うことが可能である。また、光学ファインダ１０４内には、通知部５４の一部の機能、例えば、合焦表示、手振れ警告表示、ストロボ充電表示、シャッタスピード表示、絞り値表示、露出補正表示、ＲＡＷ形式記録表示などが設けられていても良い。
【００２７】
１１０は通信手段であり、ＲＳ２３２ＣやＵＳＢ、ＩＥＥＥ１３９４、ＬＡＮ等の各種通信規格のいずれか一つまたは複数を利用して、有線通信または無線通信を行う機能を有する。１１２は通信手段１１０により撮像装置１００を他の機器と接続する有線通信用のコネクタ或いは無線通信用のアンテナである。記録媒体２００、２１０は、メモリカードやハードディスク等の不揮発性の記録媒体であり、撮像装置１００に着脱可能な構成である。ここで、記録媒体２００は、半導体メモリや磁気ディスク等から構成される記録部２０２、撮像装置１００とのインターフェース２０４、撮像装置１００と接続を行うコネクタ２０６を備えている。同様に、記録媒体２１０は、半導体メモリや磁気ディスク等から構成される記録部２１２、撮像装置１００とのインターフェース２１４、撮像装置１００と接続を行うコネクタ２１６を備えている。
【００２８】
尚、図１のシステム制御部５０の処理は、専用のハードウェアにより実現されるものであってもよく、また、各処理は撮像装置１００内のメモリ５２等より各処理を実現する為のプログラムを読み込んで実行することにより実現させるものであってもよい。
また、上記メモリ５２等は、ハードディスク装置や光磁気ディスク装置、フラッシュメモリ等の不揮発性のメモリや、ＣＤ−ＲＯＭ等の読み出しのみが可能な記録媒体、ＲＡＭ（Ｒａｎｄｏｍ　Ａｃｃｅｓｓ　Ｍｅｍｏｒｙ）のような揮発性のメモリ、あるいはこれらの組み合わせによるコンピュータ読み取り、書き込み可能な記録媒体より構成されるものとする。
【００２９】
次に、図１に示した撮像装置１００の動作について説明する。
図２は、図１に示した撮像装置１００におけるの撮影時のフローチャートを示す図である。図２を用いて、撮像装置１００のＲＡＷ形式記録時の動作を説明する。
まず、撮像装置１００において、シャッタスイッチＳＷ２・６４による指示により、システム制御回路５０は、露光制御回路４０を介して、シャッタ１２を駆動し露光制御を実行する（ステップＳ１００）。次に、適正期間露光後、システム制御回路５０は、撮像素子１４、Ａ／Ｄ変換器１６、画像処理回路２０、メモリ制御回路２２を介して、或いはＡ／Ｄ変換器１６から直接メモリ制御回路２２を介して、ＲＡＷ画像データを読み出す。これにより、メモリ制御回路２２は、メモリ３０のＲＡＷデータ領域へ読み出したＲＡＷ画像データを格納する（ステップＳ１０１）。
【００３０】
このとき、画像処理回路２０で行われる画像処理は、撮像素子１２の縦横画素比率を１：１に補間する画素正方化処理等の、必要最低限の処理であり、メモリ３０のＲＡＷデータ領域には、非可逆圧縮されていない、実質的に撮像素子１４から読み出したままのＲＡＷ画像データが格納されている。
【００３１】
次に、上述したステップＳ１０１を終えた後、圧縮する記録形式として非可逆圧縮形式であるＪＰＥＧ形式が指定されている場合、システム制御回路５０は、メモリ３０のＲＡＷデータ領域に書き込まれたＲＡＷ画像データを読み出して、メモリ制御回路２２そして必要に応じて画像処理回路２０を用いて各種画像処理を施し画像データを生成する。更に、システム制御回路５０は、圧縮・伸長回路３２を用いて、指定されたＪＰＥＧ形式に圧縮変換する画像圧縮処理を画像データに対して行い、非可逆圧縮された圧縮画像データを生成する。以上に示すように、システム制御回路５０は、ＲＡＷ画像データ処理を実行して、ＪＰＥＧ形式の圧縮画像データ（以下、ＪＰＥＧ画像データとする）を生成する（ステップＳ１０２）。
【００３２】
次に、システム制御回路５０は、上述したステップＳ１０２にて作成された非可逆圧縮形式のＪＰＥＧ画像データをインターフェース９０或いは９４、コネクタ９２或いは９６を介して記録媒体２００或いは２１０へ書き込むＪＰＥＧデータ記録処理を実行する（ステップＳ１０３）。次に、システム制御回路５０は、撮影後に撮影画像を保存する前に確認するために保存される画像を画像表示部２８に表示する（以下、レックレビュー表示とする）ようあらかじめ設定されている場合や、操作部７０によりレックレビュー表示を指定された場合（ステップＳ１０４のＹＥＳ）、生成した圧縮画像データを画像表示メモリ２４およびＤ／Ａ変換器２６を介して、画像表示部２８に表示（レックレビュー表示）する（ステップＳ１０５）。
【００３３】
ここで、レックレビュー表示中に、操作部７０によりＲＡＷ形式記録の指示が行われた場合、システム制御回路５０は、図９に示すように画像表示部２８に「ＲＡＷ形式で記録しますか？」と確認のメッセージ表示枠およびそのメッセージに対して「キャンセル」、「ＯＫ」を選択する選択枠を含む記録形式選択枠２８ａを表示する（ステップＳ１０６）。尚、上述した選択枠は操作部７０にて選択することができる。ここで記録形式選択枠２８ａの「キャンセル」が選択された場合や、「ＯＫ」の選択が行われない場合（ステップＳ１０６のＮＯ）、次のステップＳ１０９へ進む。
【００３４】
次に、ステップＳ１０９において、記録形式選択枠２８ａの「ＯＫ」の選択が行われないまま所定時間が経過してレックレビュー表示が終了した場合やシャッタスイッチ６２、６４もしくは操作部７０の操作によりレックレビュー表示が終了した場合（ステップＳ１０９のＹＥＳ）、ＲＡＷ形式記録は実行されず、撮影動作が終了する。また、レックレビュー表示が終了していない場合（ステップＳ１０９のＮＯ）は、ステップＳ１０６へ戻る。すなわち、記録形式選択枠２８ａが画像表示部２８に表示され続ける。
【００３５】
一方、記録形式選択枠２８ａにおいて「ＯＫ」が選択された場合（ステップＳ１０６のＹＥＳ）、システム制御回路５０は、記録メモリ３０のＲＡＷデータ領域に書き込まれているＲＡＷ画像データを読み出して、インターフェース９０或いは９４、コネクタ９２或いは９６を介して、記録媒体２００或いは２１０へ記録する（ステップＳ１０７）。
【００３６】
次に、システム制御回路５０は、ステップＳ１０３で記録媒体２００或いは２１０へ記録したＪＰＥＧ画像データを消去し（ステップＳ１０８）、撮影動作を終了する。以上で、撮像装置１００における一連の撮影動作が完了する。
このように、本発明によれば、ＲＡＷ画像データを記録媒体２００または２１０へ記録した後、ＪＰＥＧ画像データを記録媒体２００または２１０から消去することにより、使用者が撮影中に任意に撮影画像をＲＡＷ形式で記録しながら、記録媒体を効率的に利用することが可能となる。
【００３７】
尚、ここでは記録媒体２００、２１０に書き込む画像データを対象として説明を行ったが、記録媒体２００、２１０へ画像データを直接書き込むのではなく、遅延書き込み処理等を利用して、画像データを一旦画像バッファ上に書き込むように構成して、その画像バッファへ書き込む画像データに対しての処理としても同様である。
【００３８】
また、ステップＳ１０６においてレックレビュー表示中にＲＡＷ形式記録を行うか否かを選択するものとして説明を行ったが、レックレビュー表示の状態によらず、撮影後、次の撮影を開始するまでの間であれば、任意のタイミングでＲＡＷ形式記録を指示できるようにすることも可能である。更には、ステップＳ１０８においてＲＡＷ形式記録処理の実行ごとにＲＡＷ画像データに対応するＪＰＥＧ画像データを消去するとして説明したが、ＲＡＷ形式記録を行ったＲＡＷ画像データに対応するＪＰＥＧ画像データを、自動的にもしくは何らかの指示手段による処理開始指示により、後でまとめて記録媒体２００、２１０から消去することも可能であるし、次回以降のＲＡＷ形式記録処理の際等、別のタイミングにより、ＲＡＷ形式記録を行ったＲＡＷ画像データに対応するＪＰＥＧ画像データを消去することも可能である。
【００３９】
次に、図２に示したステップＳ１０７、Ｓ１０８の処理（以下、ＲＡＷ形式記録処理とする）において、異なる第二のＲＡＷ形式記録処理例について図を用いて説明する。
図３は、図２に示したＲＡＷ形式記録処理と異なる第二のＲＡＷ形式記録処理例を示す図である。ここで第二のＲＡＷ形式記録処理とは、ＪＰＥＧ画像データを記録媒体から消去する際に、ＪＰＥＧ画像データに音声データやメモデータ等の付加データが付加されていた場合の、撮像装置１００における処理例である。
【００４０】
例えば操作部７０からのＲＡＷ形式記録指示により、第二のＲＡＷ形式記録処理を開始する場合（図２のステップＳ１０６のＹＥＳ）に、まず、システム制御回路５０は、ＲＡＷ画像データを記録媒体２００または２１０へ記録する（ステップＳ１１０）。次に、システム制御回路５０は、ＲＡＷ画像データに対応するＪＰＥＧ画像データに音声データやメモデータ等の付加データが付加されているかどうかを確認する（ステップＳ１１１）。
【００４１】
ここで、ＪＰＥＧ画像データに付加データが付加されていない場合（ステップＳ１１１のＮＯ）には、処理をステップＳ１１３に進める。また、ＪＰＥＧ画像データに付加データが添付されている場合（ステップＳ１１１のＮＯ）には、システム制御回路５０は、それらの付加データを対応するＲＡＷ画像データに付加して記録媒体２００または２１０へ格納する（ステップＳ１１２）。次に、ステップＳ１１３において、システム制御回路５０は、記録媒体２００または２１０からＪＰＥＧ画像データを消去する（Ｓ１１３）。以上により、撮像装置１００における第二のＲＡＷ形式記録処理を完了する。
【００４２】
以上に示したように、ＪＰＥＧ画像データに付加されていた付加データをＲＡＷ画像データへ付加し直すことにより、ＲＡＷ画像データを記録媒体２００または２１０へ記録した後に、ＲＡＷ画像データに対応するＪＰＥＧ画像データを記録媒体２００または２１０から消去することで、ＪＰＥＧ画像データに付加された付加データが失われること無く、ＲＡＷ形式記録処理を行うことが可能となる。
【００４３】
尚、ＪＰＥＧ画像データに付加されていた付加データをＲＡＷ画像データに付加し直すか、ＪＰＥＧ画像データと一緒に消去するかを使用者に選択できるようにしてもよい。また、付加データを必ず消去するように設定することももちろん可能である。また、上記の付加データに画像記録形式データ等の情報が含まれている場合は、撮影画像の記録形式をＪＰＥＧ形式からＲＡＷ形式に変更したことに応じて、その画像記録形式データ等を変更する必要がある。この場合は、撮像装置１００は、付加データの必要個所（画像記録形式データ等）を自動的に修正することも可能である。
【００４４】
次に、図２に示したＲＡＷ形式記録処理と異なる第三のＲＡＷ形式記録処理例について図を用いて説明する。
図４は、図２に示したＲＡＷ形式記録処理と異なる第三のＲＡＷ形式記録処理例を示す図である。ここで第三のＲＡＷ形式記録処理とは、ＲＡＷ画像データを記録媒体へ記録した後、ＪＰＥＧ画像データを記録媒体から消去する処理である。
【００４５】
例えば操作部７０からのＲＡＷ形式記録指示により、第三のＲＡＷ形式記録処理を開始すると、まず、システム制御回路５０は、ＲＡＷ画像データを記録媒体２００または２１０へ記録する（ステップＳ１２０）。次に、システム制御回路５０は、記録媒体２００または２１０からステップＳ１２０で記録したＲＡＷ画像データに応じたＪＰＥＧ画像データを消去する（ステップＳ１２１）。以上により、撮像装置１００は、第三のＲＡＷ形式記録処理を完了する。
【００４６】
以上に示したように、第三のＲＡＷ形式記録処理においては、ＲＡＷ画像データを記録媒体２００または２１０へ記録した後、ＪＰＥＧ画像データを記録媒体２００または２１０から消去することにより、画像データを確実に記録媒体２００または２１０に記録することができる。例えば、ＪＰＥＧ画像データを記録媒体から消去した後、記録媒体へＲＡＷ画像データを記録する処理方法であると、その記録処理が完了するまでの間に、撮像装置の電源が遮断される等の不慮の事態が発生した場合に、撮影した画像データが記録媒体へ記録されずに失われてしまうが、上述した第三のＲＡＷ形式記録処理であれば、少なくともＪＰＥＧ画像データまたはＲＡＷ画像データのいずれかが記録媒体に残るため、これを防止することが可能である。
【００４７】
次に、図２に示したＲＡＷ形式記録処理と異なる第四のＲＡＷ形式記録処理例について図を用いて説明する。
図５は、図２に示したＲＡＷ形式記録処理と異なる第四のＲＡＷ形式記録処理例を示す図である。ここで第四のＲＡＷ形式記録処理とは、ＪＰＥＧ画像データを記録媒体から消去した後、ＲＡＷ画像データを記録媒体へ記録する処理である。
【００４８】
例えば操作部７０からのＲＡＷ形式記録指示により、第四のＲＡＷ形式記録処理を開始すると、まず、システム制御回路５０は、記録媒体２００または２１０から次のステップで記録するＲＡＷ画像データに対応するＪＰＥＧ画像データを消去する（ステップＳ１３０）。次に、システム制御回路５０は、ステップＳ１３０において消去したＪＰＥＧ画像データに対応するＲＡＷ画像データを記録媒体２００または２１０へ記録する（ステップＳ１３１）。以上により、撮像装置１００は、第四のＲＡＷ形式記録処理を完了する。
【００４９】
以上に示したように、ＪＰＥＧ画像データを記録媒体２００または２１０から消去した後、ＲＡＷ画像データを記録媒体２００または２１０へ記録することにより、記録媒体２００または２１０におけるフラグメンテーションの発生を防止し、記録媒体２００または２１０を効率的に利用することが可能となる。
【００５０】
次に、図２に示したＲＡＷ形式記録処理と異なる第五のＲＡＷ形式記録処理例について図を用いて説明する。
図６は、図２に示したＲＡＷ形式記録処理と異なる第五のＲＡＷ形式記録処理例を示す図である。ここで第五のＲＡＷ形式記録処理とは、記録媒体の残容量に応じて、ＲＡＷ画像データの記録媒体への記録と、ＪＰＥＧ画像データの記録媒体からの消去の順序を切り替える処理である。
【００５１】
例えば操作部７０からのＲＡＷ形式記録指示により、第五のＲＡＷ形式記録処理を開始すると、まず、システム制御回路５０は、記録媒体２００または２１０の残容量を確認する（ステップＳ１４０）。次に、記録媒体２００または２１０の残容量が所定量以上の場合（ステップＳ１４０のＹＥＳ）、システム制御回路５０は、ＲＡＷ画像データを記録媒体２００または２１０へ記録する（Ｓ１４１）。次に、システム制御回路５０は、記録媒体２００または２１０からステップＳ１４１で記録したＲＡＷ画像データに対応するＪＰＥＧ画像データを消去する（ステップＳ１４２）。以上により、撮像装置１００は第五のＲＡＷ形式記録処理を完了する。
【００５２】
また、記録媒体２００または２１０の残容量が所定量に満たない場合（ステップＳ１４０のＮＯ）、システム制御回路５０は、記録媒体２００または２１０からＪＰＥＧ画像データを消去する（ステップＳ１４３）。次に、システム制御回路５０は、ＲＡＷ画像データを記録媒体２００または２１０へ記録する（ステップＳ１４４）。以上により、撮像装置１００は第五のＲＡＷ形式記録処理を完了する。
【００５３】
以上に示したように、記録媒体２００または２１０の残容量に応じて、ＲＡＷ画像データの記録媒体２００または２１０への記録と、ＪＰＥＧ画像データの記録媒体２００または２１０からの消去の順序を切り替えることにより、記録媒体２００または２１０の残容量が充分にある場合は、撮影済みの画像データの安全性を優先して（記録が先）記録媒体２００または２１０への記録を行い、記録媒体２００または２１０の残容量が少ない場合は、記録媒体２００または２１０の利用効率を優先して（消去が先）記録媒体２００または２１０への記録を行うことができる。これにより、撮像装置１００は、撮影済みの画像データの安全性を保持しながら、残容量に応じて記録媒体２００または２１０を効率的に利用することが可能となる。
【００５４】
ここで、ＲＡＷ画像データの記録媒体２００または２１０への記録と、ＪＰＥＧ画像データの記録媒体２００または２１０からの消去の順序を切り替える閾値となる、記録媒体の残容量は、任意に設定できるようにしてもよい。また、記録媒体２００または２１０の残容量によらず、常にどちらかの順序で記録処理を行うよう設定できるようにすることも可能である。
【００５５】
次に、図２に示したＲＡＷ形式記録処理と異なる第六のＲＡＷ形式記録処理例について図を用いて説明する。
図７は、図２に示したＲＡＷ形式記録処理と異なる第六のＲＡＷ形式記録処理例を示す図である。ここで第六のＲＡＷ形式記録処理とは、ＲＡＷ画像データを記録媒体へ記録した後、ＪＰＥＧ画像データを記録媒体から消去するか否かを選択する処理である。
【００５６】
例えば操作部７０からのＲＡＷ形式記録指示により、第六のＲＡＷ形式記録処理を開始すると、システム制御回路５０は、ＲＡＷ画像データを記録媒体２００または２１０へ記録する（ステップＳ１５０）。次に、システム制御回路５０は、図１０に示すように画像表示部２８に「ＪＰＥＧデータを消去しますか？」というメッセージ表示枠およびそのメッセージに対して「キャンセル」、「ＯＫ」を選択する選択枠からなるデータ消去選択枠２８ｂを表示する（ステップＳ１５１）。これにより、使用者にＪＰＥＧ画像データを記録媒体から消去するか否かを問い合わせる。ここで、操作部７０を用いてデータ消去選択枠２８ｂの「キャンセル」が選択された場合（ステップＳ１５１のＮＯ）には、記録媒体２００または２１０からＪＰＥＧ画像データを消去せずに、撮像装置１００は、第六のＲＡＷ形式記録処理を完了する。
【００５７】
一方、操作部７０を用いてデータ消去選択枠２８ｂにおいて「ＯＫ」が選択された場合（ステップＳ１５１のＹＥＳ）、消去指示がシステム制御回路５０へ伝達され、その消去指示を基にシステム制御回路５０は、記録媒体２００または２１０からステップＳ１５０で記録したＲＡＷ画像データに対応するＪＰＥＧ画像データを消去する（ステップＳ１５２）。すなわち、撮像装置１００は、使用者の操作部７０の操作による外部から入力された消去指示に応じてＪＰＥＧ画像データの消去を制御する。以上により、撮像装置１００は第六のＲＡＷ形式記録処理を完了する。
【００５８】
このようにして、ＪＰＥＧ画像データを記録媒体２００または２１０から消去するか否かを撮像装置１００の使用者が選択できるようにすることで、ＲＡＷ形式記録処理を実行する際に、使用者が希望する画像については、ＲＡＷ画像データと共に、ＪＰＥＧ画像データを記録媒体２００または２１０に記録しておくことが可能となる。
【００５９】
次に、図２に示したＲＡＷ形式記録処理と異なる第七のＲＡＷ形式記録処理例について図を用いて説明する。
図８は、図２に示したＲＡＷ形式記録処理と異なる第七のＲＡＷ形式記録処理例を示す図である。ここで第七のＲＡＷ形式記録処理とは、ＲＡＷ形式記録時に記録媒体の空き容量がＲＡＷ形式記録に必要な量に満たない場合にその旨を使用者へ警告する処理である。
【００６０】
例えば操作部７０からのＲＡＷ形式記録指示により、第七のＲＡＷ形式記録処理を開始すると、システム制御回路５０は、記録媒体２００または２１０の残り容量を確認する（ステップＳ１６０）。ここで、記録媒体２００または２１０の残り容量が所定量以上の場合（ステップＳ１６０のＹＥＳ）、システム制御回路５０は、ＲＡＷ画像データを記録媒体２００または２１０へ記録する（ステップＳ１６１）。次に、システム制御回路５０は、記録媒体２００または２１０からＪＰＥＧ画像データを消去する（ステップＳ１６２）。以上により、撮像装置１００は第七のＲＡＷ形式記録処理を完了する。
【００６１】
また、記録媒体２００または２１０の残り容量が所定量に満たない場合（ステップＳ１６０のＮＯ）、ＲＡＷ画像データの記録およびＪＰＥＧ画像データの消去を行わず、図１１に示すように画像表示部２８に「ＲＡＷ形式で記録できません」という警告を伝えるメッセージ表示枠２８ｃを表示する（ステップＳ１６３）。以上により、撮像装置１００は第七のＲＡＷ形式記録処理を完了する。これにより、撮像装置１００は、使用者にＲＡＷ形式記録が行えないことを警告することができる。
【００６２】
尚、上述した実施形態においては使用者への警告は、画像表示装置２８を用いて行うと説明したが、光学ファインダ１０４内に表示したり、撮像装置１００にスピーカを設けて警告音を発音したりすることにより、ＲＡＷ形式記録が行えないことを警告することも可能である。
【００６３】
また、上述した実施形態の説明においては、非可逆データ圧縮形式の一例としてＪＰＥＧ形式を用いて説明を行ったが、他の非可逆データ圧縮形式であっても勿論構わない。また、ＲＡＷ形式データは非データ圧縮形式であるように説明したが、これをデータ劣化のない可逆データ圧縮形式としても勿論構わない。
【００６４】
以上、この発明の実施形態について図面を参照して詳述してきたが、具体的な構成はこの実施形態に限られるものではなく、この発明の要旨を逸脱しない範囲の設計等も含まれる。
【００６５】
【発明の効果】
以上説明したように、本発明の撮像装置、撮像装置制御方法、その記録媒体およびそのプログラムによれば、撮像データを基に非可逆圧縮形式の画像データを生成して記録した記録媒体に撮像データを記録したい場合に記録指示を与えることで、撮像データを記録媒体に記録し、撮像データに対応する非可逆圧縮形式の画像データを記録媒体から消去するよう撮像装置を制御することができる。すなわち、使用者がＲＡＷ形式（撮像データを記録する記録形式）で記録したい場合に、記録指示を与えるという簡単な操作で即座にＲＡＷ形式で撮影画像を記録でき、かつ画像データを消去することで記録媒体を効率的に使用することができる。
【００６６】
また、本発明の撮像装置においては、上記制御を行う制御手段を具備し、その制御手段は、消去する画像データに付加データが付加されている場合に、生成された画像データに対応する撮像データに付加データを付加して記録媒体に記録するよう制御するので、画像データに付加された付加データが失われること無く、撮像データの記録処理を行うことができる。
【００６７】
また、本発明の撮像装置においては、上記制御手段は、撮像データを記録媒体に記録した後に、撮像データに対応する画像データを消去するよう制御するので、撮像データまたは画像データを確実に記録媒体に記録することができる。
【００６８】
また、本発明の撮像装置においては、上記制御手段は、記録媒体より撮像データに対応する画像データを消去した後に、撮像データを記録媒体に記録するよう制御するので、記録媒体におけるフラグメンテーションの発生を防止し、記録媒体を効率的に利用することができる。
【００６９】
また、本発明の撮像装置においては、上記制御手段は、記録媒体の残容量が所定量より多い場合は、撮像データを記録媒体へ記録した後に撮像データに対応する画像データを記録媒体から消去し、記録媒体の残容量が所定量より少ない場合は、撮像データに対応する画像データを記録媒体から消去した後に撮像データを記録媒体へ記録するよう制御するので、撮影済みの画像データの安全性を保持しながら、残容量に応じて記録媒体を効率的に利用することができる。
【００７０】
また、本発明の撮像装置においては、上記制御手段は、撮像データに対応する画像データを記録媒体から消去する際に、外部から入力される消去するか否かを指示する消去指示に応じて消去の処理を制御するので、撮像データの記録処理を実行する際に、使用者が希望する画像については、撮像データと共に、画像データを記録媒体に記録することができる。
【００７１】
また、本発明の撮像装置においては、上記制御手段は、記録媒体の残容量が所定量より少ない場合に、使用者に撮像データの記録が実行できないことを警告し、撮像データを記録媒体に記録しないよう制御するので、使用者に撮像データの記録が行えないことを警告することができる。
【図面の簡単な説明】
【図１】本発明の一実施形態における撮像装置の構成を示すブロック図である。
【図２】図１に示した撮像装置１００におけるの撮影時のフローチャートを示す図である。
【図３】図２に示したＲＡＷ形式記録処理と異なる第二のＲＡＷ形式記録処理例を示す図である。
【図４】図２に示したＲＡＷ形式記録処理と異なる第三のＲＡＷ形式記録処理例を示す図である。
【図５】図２に示したＲＡＷ形式記録処理と異なる第四のＲＡＷ形式記録処理例を示す図である。
【図６】図２に示したＲＡＷ形式記録処理と異なる第五のＲＡＷ形式記録処理例を示す図である。
【図７】図２に示したＲＡＷ形式記録処理と異なる第六のＲＡＷ形式記録処理例を示す図である。
【図８】図２に示したＲＡＷ形式記録処理と異なる第七のＲＡＷ形式記録処理例を示す図である。
【図９】図１に示した画像表示部２８に表示される記録形式選択枠の例を示す図である。
【図１０】図１に示した画像表示部２８に表示されるデータ消去選択枠の例を示す図である。
【図１１】図１に示した画像表示部２８に表示されるメッセージ表示枠の例を示す図である。
【符号の説明】
１００　　撮像装置
１０　　撮影レンズ　　　　　　　、１２　　シャッタ
１４　　撮像素子　　　　　　　　、１６　　Ａ／Ｄ変換器
１８　　タイミング発生回路　　　、２０　　画像処理回路
２２　　メモリ制御回路　　　　　、２４　　画像表示メモリ
２６　　Ｄ／Ａ変換器　　　　　　、２８　　画像表示部
３０　　メモリ　　　　　　　　　、３２　　画像圧縮・伸長回路
４０　　露光制御回路　　　　　　、４２　　測距制御手段
４４　　ズーム制御手段　　　　　、５０　　システム制御回路
５２　　メモリ　　　　　　　　　、５４　　通知部
５６　　不揮発性メモリ　　　　　、６０　　モードダイアルスイッチ
６２　　シャッタスイッチＳＷ１　、６４　　シャッタスイッチＳＷ２
７０　　操作部　　　　　　　　　、９０，９４　　インターフェース
９２，９６　　コネクタ　　　　　、９８　　記録媒体着脱検知手段
１０４　光学ファインダ　　　　　、１１０　通信手段
１１２　コネクタ（またはアンテナ）
２００，２１０　記録媒体
２０２，２１２　記録部
２０４，２１４　インターフェース
２０６，２１６　コネクタ
【図１】
2004104601.tif 000003
【図２】
2004104601.tif 000004
【図３】
2004104601.tif 000005
【図４】
2004104601.tif 000006
【図５】
2004104601.tif 000007
【図６】
2004104601.tif 000008
【図７】
2004104601.tif 000009
【図８】
2004104601.tif 000010
【図９】
2004104601.tif 000011
【図１０】
2004104601.tif 000012
【図１１】
2004104601.tif 000013